(57)【要約】【課題】チャネル数を少なくしてマルチスペクトル計測して得られた結果から精度よく印刷物の分光反射率を推定して色調を計測する。【解決手段】コンピュータ１４では、予め規定された基準印刷物の印刷色から墨色を分離して、墨色を除く各色について各色が占める領域を特定する。さらに、コンピュータでは、墨色に関するマルチスペクトル情報と分光反射率との関係を規定する墨伝達関数を求めるとともに、各色が占める領域に応じて、各色毎にマルチスペクトル情報と分光反射率との関係を規定する各色伝達関数を求めて、墨伝達関数及び各色伝達関数に基づいて商業印刷物をマルチスペクトル計測して得られたマルチスペクトル情報から分光反射率に推定する。そして、この分光反射率に応じて商業印刷物の色調が計測されることになる。【選択図】      図１
2004198146.tif 000002
【特許請求の範囲】
【請求項１】
商業印刷物をマルチスペクトル計測して得られたマルチスペクトル情報に応じて前記商業印刷物の分光反射率を推定して前記商業印刷物の色調を計測する印刷物色調計測方法であって、
予め規定された基準印刷物について前記マルチスペクトル計測を行うとともに分光計測を行う計測ステップと、
前記基準印刷物の印刷色から墨色を分離する第１のクラスターステップと、
前記墨色を除く各色について各色が占める領域を特定する第２のクラスターステップと、
前記墨色に関する前記マルチスペクトル情報と前記分光反射率との関係を規定する墨伝達関数を求める第１の伝達関数算出ステップと、
前記各色が占める領域に応じて前記各色毎に前記マルチスペクトル情報と前記分光反射率との関係を規定する各色伝達関数を求める第２の伝達関数算出ステップと、
前記墨伝達関数及び前記各色伝達関数に基づいて前記商業印刷物をマルチスペクトル計測して得られたマルチスペクトル情報から前記分光反射率を推定する推定ステップとを有することを特徴とする印刷物色調計測方法。
【請求項２】
前記第１のクラスターステップでは、近赤外線を用いて前記印刷色から前記墨色を分離するようにしたことを特徴とする請求項１に記載の印刷物色調計測方法。
【請求項３】
前記第２のクラスターステップでは、前記墨色を除く各色をＲ・Ｇ・Ｂ（赤・緑・青）３次元の主成分空間に変換した後、
予め規定された座標軸で極座標変換して得られた結果に基づいて前記各色が占める領域をクラスタリングするようにしたことを特徴とする請求項１又は２に記載の印刷物色調計測方法。
【請求項４】
前記予め規定された座標軸は標準白板と消灯時の黒を基準として設定されるようにしたことを特徴とする請求項３に記載の印刷物色調計測方法。
【請求項５】
前記推定ステップでは、前記商業印刷物をマルチスペクトル計測して得られたマルチスペクトル情報に応じて前記商業印刷物の印刷色が前記墨色であるか否かを判定して、
前記商業印刷物の印刷色が墨色であると判定すると、前記墨伝達関数を用いて、前記商業印刷物をマルチスペクトル計測して得られたマルチスペクトル情報から前記分光反射率を推定し、
前記商業印刷物の印刷色が墨色を除く各色であると判定すると、前記墨色を除く各色をＲＧＢ３次元の主成分空間に変換した後、予め規定された座標軸で極座標変換して得られた結果に基づいて、前記各色が占める領域をクラスタリングして得られた結果に応じた前記各色伝達関数を用いて、前記商業印刷物をマルチスペクトル計測して得られたマルチスペクトル情報から前記分光反射率を推定するようにしたことを特徴とする請求項１〜３のいずれかに記載の印刷物色調計測方法。
【請求項６】
商業印刷物をマルチスペクトル計測して得られたマルチスペクトル情報に応じて前記商業印刷物の分光反射率を推定して前記商業印刷物の色調を計測する印刷物色調計測装置であって、
予め規定された基準印刷物について前記マルチスペクトル計測を行うとともに分光計測を行う計測手段と、
前記基準印刷物の印刷色から墨色を分離する第１のクラスタリング手段と、
前記墨色を除く各色について各色が占める領域を特定する第２のクラスタリング手段と、
前記墨色に関する前記マルチスペクトル情報と前記分光反射率との関係を規定する墨伝達関数を求める第１の伝達関数算出手段と、
前記各色が占める領域に応じて前記各色毎に前記マルチスペクトル情報と前記分光反射率との関係を規定する各色伝達関数を求める第２の伝達関数算出手段と、
前記墨伝達関数及び前記各色伝達関数に基づいて前記商業印刷物をマルチスペクトル計測して得られたマルチスペクトル情報から前記分光反射率を推定する推定手段とを有することを特徴とする印刷物色調計測装置。
【請求項７】
商業印刷物をマルチスペクトル計測して得られたマルチスペクトル情報に応じて前記商業印刷物の分光反射率を推定して前記商業印刷物の色調を計測する印刷物色調計測プログラムであって、
予め規定された基準印刷物について前記マルチスペクトル計測を行うとともに分光計測を行った結果に応じて、前記基準印刷物の印刷色から墨色を分離する第１のクラスター手続きと、
前記墨色を除く各色について各色が占める領域を特定する第２のクラスター手続きと、
前記墨色に関する前記マルチスペクトル情報と前記分光反射率との関係を規定する墨伝達関数を求める第１の伝達関数算出手続きと、
前記各色が占める領域に応じて前記各色毎に前記マルチスペクトル情報と前記分光反射率との関係を規定する各色伝達関数を求める第２の伝達関数算出手続きと、
前記墨伝達関数及び前記各色伝達関数に基づいて前記商業印刷物をマルチスペクトル計測して得られたマルチスペクトル情報から前記分光反射率を推定する推定手続きとを有することを特徴とする印刷物色調計測プログラム。
【発明の詳細な説明】
【０００１】
【発明の属する技術分野】
本発明は、印刷機で印刷された印刷物の色調を計測する方法、計測装置、及びそのプログラムに関し、特に、マルチバンド計測を用いた印刷物色調計測方法、印刷物色調計測装置、及びそのプログラムに関するものである。
【０００２】
【従来の技術】
一般に、印刷機における色再現状況は様々な要因によって変動する結果、印刷物の色調を所望の色調とするには、印刷物の色調を色調計測装置等で計測して、その計測結果に応じて、例えば、インキ供給量を調節するインキキーを制御して、印刷物の色調を調整する必要がある。
【０００３】
例えば、カラーマネージメントシステムにおいては、印刷機又は製版システム等の個々のデバイスにおける色再現特性を一致させるため、印刷機における網点面積率と色（例えば国際照明委員会で定義された色座標値、ＣＩＥ−Ｌ＊ａ＊ｂ＊）との対応を記述した例えばＩＣＣ（Ｉｎｔｅｒｎａｔｉｏｎａｌ  Ｃｏｌｏｒ  Ｃｏｎｓｏｒｔｉｕｍ）プロファイルと呼ばれる発色特性データを作成し、それを元に上流側で印刷物の測色値が所望の色に近似するようデジタルデータを変換して刷版を作成することによって、異なるデバイス間の色再現性を一致させるようにている。
【０００４】
ところで、上述のようなプロファイルを用いて印版を作成しても、所望の色調を得るためには、印刷機のプロファイルを生成した時点の各種条件が実際の印刷まで保持される必要があるが、前述のように、印刷機における色再現状況は変化することがあり、さらに、プロファイル等の発色特性データを作成した条件と実際に印刷を行う条件が異なることがある。
【０００５】
つまり、印刷機においては、インキローラへインキを均一に行き渡らせるための揺動ローラ、水着けローラの動き、ゴム胴の印圧等の微細な変化が色再現性に微妙に影響し、さらに、使用するインキ及び印刷紙等の資材条件の変更、器械間の誤差、湿度、気温、印刷を開始してからの時間等によっても色再現状況が異なる関係上、標準濃度で印刷しても、ハーフトーン部の色が合わないといった現象が生じる。
【０００６】
このため、前述のカラーマネージメントシステムを用いて印刷機のプロファイルに適した刷版を作成した際においても、実際の印刷物（商業印刷物）の分光反射率を測定して、色座標値（Ｌ＊ａ＊ｂ）及び各インキに対する濃度を算出して、インキ供給量等を制御する必要がある。
【０００７】
この点については、カラーマネージメントシステムを用いない場合でも同様であり、校正刷り又は仮校正刷り等の基準となる印刷物（ＯＫシート）と商業印刷物の分光反射率を測定して、色座標値（Ｌ＊ａ＊ｂ）及び各インキに対する濃度を算出してインキ供給量等を制御している。
【０００８】
上述のように、分光反射率を計測して色座標値（色調）を得る際においては、分光反射率を全ての波長領域で測定すれば、正確に色座標値を得ることができるものの、印刷物全体に渡って全ての波長領域で分光反射率を計測することはコストの面を考慮すると極めて困難である。
【０００９】
つまり、分光反射率を高精度に測定するには、極めてチャネル数が多くなってしまい、分光反射率の計測に時間がかかり、その結果、色座標値を得るために長時間を要してしまうことになる。
【００１０】
このような不具合に対処するため、分光反射率波形の冗長性に着目して、この分光反射率波形の特性を学習して、少ない計測チャネル数によって元の波形を推測・再現することが行われている。
【００１１】
例えば、撮影対象（被写体）を所定の光源で照射して、異なる透過波長帯域を有する複数のフィルタを用いて分光感度の異なる複数のチャネルを通して、各波長域の信号を得て、これらの情報に応じて被写体の分光反射率を復元することが行われている（特許文献１参照）
【００１２】
さらに、多画素数かつ小チャネル数のスペクトル情報（分光反射率）を得る際、多画素数かつ小チャネル数の画素中の所定の一点を着目画素として、着目画素に対応する小画素数かつ多チャネル数の画像中の一点を含む所定の領域における画像データに対して、主成分分析を行って、この主成分分析によって得られた所定数の主成分ベクトルの線型和を用いて、多画素かつ小チャネル数の画像中における着目画素の出力値を再現するように、線型和の係数を決定して、これによって、着目画素のスペクトル情報を求めるようにしている（特許文献２参照）。
【００１３】
【特許文献１】
特開２０００−３３３１８６公報（段落（００２２）〜（００２２）、第４図）
【特許文献２】
特開２００２−１５７５８８公報（段落（００１１）〜（００２７）、第１図）
【００１４】
【発明が解決しようとする課題】
ところで、特許文献１においては、分光反射率を推定する際、例えば、８チャネル程度のチャネル数を用いて分光反射率を推定して、この推定分光反射率に応じて被写体の分光反射率を復元しているものの、このように少ないチャネル数を用いて分光反射率を推定した場合には、精度よく被写体の分光反射率を復元することは難しい。
【００１５】
一方、特許文献２では、多画素数かつ小チャネル数のスペクトル情報（分光反射率）を得る際、多画素数かつ小チャネル数の画素中の所定の一点を着目画素として、着目画素に対応する小画素数かつ多チャネル数の画像中の一点を含む所定の領域における画像データを用いる関係上、多数のチャネル数を用いなければならず、処理時間が膨大となってしまうという課題がある。
【００１６】
本発明の目的は、マルチスペクトル計測の際のバンドチャネル数を少なくしてしかも精度よく印刷物の分光反射率を推定して色調を計測することのできる印刷物色調計測方法、印刷物色調計測装置、及びそのプログラムを提供することにある。
【００１７】
【課題を解決するための手段】
本発明によれば、商業印刷物をマルチスペクトル計測して得られたマルチスペクトル情報に応じて前記商業印刷物の分光反射率を推定して前記商業印刷物の色調を計測する印刷物色調計測方法であって、予め規定された基準印刷物について前記マルチスペクトル計測を行うとともに分光計測を行う計測ステップと、予め規定された基準印刷物の印刷色から墨色を分離する第１のクラスターステップと、前記墨色を除く各色について各色が占める領域を特定する第２のクラスターステップと、前記墨色に関する前記マルチスペクトル情報と前記分光反射率との関係を規定する墨伝達関数を求める第１の伝達関数算出ステップと、前記各色が占める領域に応じて前記各色毎に前記マルチスペクトル情報と前記分光反射率との関係を規定する各色伝達関数を求める第２の伝達関数算出ステップと、前記墨伝達関数及び前記各色伝達関数に基づいて前記商業印刷物をマルチスペクトル計測して得られたマルチスペクトル情報から前記分光反射率を推定する推定ステップとを有することを特徴とする印刷物色調計測方法が得られる。
【００１８】
このようにして、予め規定された基準印刷物の印刷色から墨色を分離して、墨色を除く各色について各色が占める領域を特定した後、墨色に関するマルチスペクトル情報と分光反射率との関係を規定する墨伝達関数を求め、さらに、各色が占める領域に応じて各色毎にマルチスペクトル情報と分光反射率との関係を規定する各色伝達関数を求めて、墨伝達関数及び各色伝達関数に基づいて商業印刷物をマルチスペクトル計測して得られたマルチスペクトル情報から分光反射率を推定するようにすれば、マルチスペクトル計測の際のチャネル数を少なくして、しかも精度よく商業印刷物の分光反射率を推定して色調を計測できることになる。
【００１９】
例えば、前記第１のクラスターステップでは、近赤外線を用いて前記印刷色から前記墨色を分離するようにしており、前記第２のクラスターステップでは、前記墨色を除く各色をＲＧＢ３次元の主成分空間に変換した後、予め規定された座標軸で極座標変換して得られた結果に基づいて前記各色が占める領域をクラスタリングするようにしている。なお、前記予め規定された座標軸は標準白板と消灯時の黒を基準として設定される。
【００２０】
このように、近赤外線を用いて印刷色から墨色を分離するようにすれば、簡単に印刷色から墨色を分離でき、しかも、墨色を除く各色をＲ・Ｇ・Ｂ（赤・緑・青）３次元の主成分空間に変換した後、予め規定された座標軸で極座標変換して得られた結果に基づいて各色が占める領域をクラスタリングするようにすれば、各色が占める領域を容易に特定できることになる。
【００２１】
さらに、前記推定ステップでは、前記商業印刷物をマルチスペクトル計測して得られたマルチスペクトル情報に応じて前記商業印刷物の印刷色が前記墨色であるか否かを判定して、前記商業印刷物の印刷色が墨色であると判定すると、前記墨伝達関数を用いて、前記商業印刷物をマルチスペクトル計測して得られたマルチスペクトル情報から前記分光反射率を推定し、前記商業印刷物の印刷色が墨色を除く各色であると判定すると、前記墨色を除く各色をＲＧＢ３次元の主成分空間に変換した後、予め規定された座標軸で極座標変換して得られた結果に基づいて、前記各色が占める領域をクラスタリングして得られた結果に応じた前記各色伝達関数を用いて、前記商業印刷物をマルチスペクトル計測して得られたマルチスペクトル情報から前記分光反射率を推定する。
【００２２】
このようにして、商業印刷物をマルチスペクトル計測して得られたマルチスペクトル情報に応じて墨色であるか否かを判定して墨色であると、墨伝達関数に基づいて商業印刷物をマルチスペクトル計測して得られたマルチスペクトル情報から分光反射率を推定し、墨色でないと、墨色を除く各色をＲＧＢ３次元の主成分空間に変換した後、予め規定された座標軸で極座標変換して得られた結果に基づいて各色が占める領域をクラスタリングして得られた結果に応じた各色伝達関数に応じて商業印刷物をマルチスペクトル計測して得られたマルチスペクトル情報から分光反射率を推定するようにすれば、精度よく商業印刷物の分光反射率を推定して色調を計測することができる。
【００２３】
さらに、本発明によれば、商業印刷物をマルチスペクトル計測して得られたマルチスペクトル情報に応じて前記商業印刷物の分光反射率を推定して前記商業印刷物の色調を計測する印刷物色調計測装置であって、予め規定された基準印刷物について前記マルチスペクトル計測を行うとともに分光計測を行う計測手段と、前記基準印刷物の印刷色から墨色を分離する第１のクラスタリング手段と、前記墨色を除く各色について各色が占める領域を特定する第２のクラスタリング手段と、前記墨色に関する前記マルチスペクトル情報と前記分光反射率との関係を規定する墨伝達関数を求める第１の伝達関数算出手段と、前記各色が占める領域に応じて前記各色毎に前記マルチスペクトル情報と前記分光反射率との関係を規定する各色伝達関数を求める第２の伝達関数算出手段と、前記墨伝達関数及び前記各色伝達関数に基づいて前記商業印刷物をマルチスペクトル計測して得られたマルチスペクトル情報から前記分光反射率を推定する推定手段とを有することを特徴とする印刷物色調計測装置が得られる。
【００２４】
また、本発明によれば、商業印刷物をマルチスペクトル計測して得られたマルチスペクトル情報に応じて前記商業印刷物の分光反射率を推定して前記商業印刷物の色調を計測する印刷物色調計測プログラムであって、予め規定された基準印刷物について前記マルチスペクトル計測を行うとともに分光計測を行った結果に応じて前記基準印刷物の印刷色から墨色を分離する第１のクラスター手続きと、前記墨色を除く各色について各色が占める領域を特定する第２のクラスター手続きと、前記墨色に関する前記マルチスペクトル情報と前記分光反射率との関係を規定する墨伝達関数を求める第１の伝達関数算出手続きと、前記各色が占める領域に応じて前記各色毎に前記マルチスペクトル情報と前記分光反射率との関係を規定する各色伝達関数を求める第２の伝達関数算出手続きと、前記墨伝達関数及び前記各色伝達関数に基づいて前記商業印刷物をマルチスペクトル計測して得られたマルチスペクトル情報から前記分光反射率を推定する推定手続きとを有することを特徴とする印刷物色調計測プログラムが得られる。
【００２５】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２６】
図１を参照して、図示の色調計測システムは、分光計測装置１１、マルチスペクトル撮影装置（マルチスペクトル計測装置）１２、データベース１３、及びコンピュータ１４を備えており、マルチスペクトル計測装置１２はマルチスペクトル計測結果であるチャネル毎の分光反射率情報（以下マルチスペクトル情報と呼ぶ）を出力する。ここでは、チャネル数は、例えば、６である。
【００２７】
分光計測装置１１は、後述する基本印刷色（予め記載された基準印刷物に印刷された印刷色）について分光反射率（分光波形）を計測して、基本分光波形情報として出力する。
【００２８】
一方、図示のように、マルチスペクトル計測装置１２は基本印刷色をチャネル毎に計測して基本マルチスペクトル情報として出力する一方、実際の印刷物（商業印刷物）の印刷色をチャネル毎に計測して、実マルチスペクトル情報Ｓ（ｘ，ｙ，λｎ）として出力する（なお、ｎはチャネル数である）。そして、データベース１３には、前述の基本分光波形情報及び基本マルチスペクトル情報が格納される。
【００２９】
前述のマルチスペクトル計測装置１２は、ｘ方向、ｙ方向に移動可能な色調測定部を有し、この色調測定部に備えられた受光センサでマルチスペクトル計測を行う。例えば、モータ等で回転可能に構成した複数の異なる波長通過フィルタを順次受光センサと印刷物との間に位置づけて、マルチスペクトル計測を行う。なお、可変波長フィルタを用いるようにしてもよく、さらには、複数の互いに異なる波長の発光光源を用意して、これら光源を順次発光させるようにしてもよく、受光波長感度が異なる複数の受光センサを用いるようにしてもよい。
【００３０】
図２を参照して、商業印刷物の印刷色を推定する際には、つまり、商業印刷物の分光反射率を推定する際には、まず、基本印刷色が印刷された基準印刷物を準備する（基本印刷準備：ステップＳ１）。この基準印刷物には、使用するインキと様々な画線率を組み合わせた絵柄が用いられる。基準印刷物について、マルチスペクトル計測装置１２を用いてマルチバンド計測（マルチスペクトル計測）を行って、基本マルチスペクトル情報を得る（ステップＳ２）とともに、分光計測装置１１を用いて基本印刷物の分光波形を計測して基本分光波形情報を得る（ステップＳ３）。
【００３１】
そして、これら基本マルチスペクトル情報及び基本分光波形情報は一旦データベース１３に格納される。このようにして、種々の基準印刷物について基本マルチスペクトル情報及び基本分光波形情報を得て、データベース１３に格納することになる。
【００３２】
次に、コンピュータ１４では、データベース１３から前述の基本マルチスペクトル情報を読みだして、例えば、最小２乗計算によって、基本マルチスペクトル情報と基本分光波形情報とに基づいて分光波形情報を求めるための伝達関数Ｇ（Ａｌｌ）を求め、この伝達関数Ｇ（Ａｌｌ）を初期伝達関数とする（ステップＳ４）。そして、コンピュータ１４では、初期伝達関数Ｇ（Ａｌｌ）に基づいて前述の基本マルチスペクトル情報から得られる分光反射率情報を初期推定分光反射率情報として求める（ステップＳ５）。
【００３３】
ところで、前述のようにして、初期推定分光反射率情報を求めると、墨（Ｂｌａｃｋ）において、実際の分光反射率と推定分光反射率が異なることが多い。例えば、図３に示すように、墨の実際の分光反射率がＯｒｉｇｉｎａｌであるとき、その推定分光反射率はＡｌｌ推定のようになる。
【００３４】
つまり、波長が長くなるにつれて、Ｏｒｉｇｎａｌは分光反射率が高くなるにもかかわらず、Ａｌｌ推定はほぼフラットな状態となっている。このことは、墨の分光反射率（分光波形）が他の色の分光波形に影響されていることを意味しており、ここでは、精度よく分光反射率を推定するために、後述するようにして、所定の色毎に伝達関数を求める。
【００３５】
いま、墨（Ｂｋ）、シアン（Ｃ）、マゼンタ（Ｍ）、イエロー（Ｙ）について、近赤外領域における分光波形を見ると、図４に示すように、墨のみが近赤外領域において分光反射率が高いことが分かる。そこで、コンピュータ１４では、初期推定分光反射率情報から図４に示す関係に基づいて墨色の初期分光反射率情報（以下墨初期分光反射率情報と呼ぶ）のみを抽出して（つまり、墨色を分離して）、他の色の分光反射率情報（以下他色初期分光反射率情報と呼ぶ）と墨初期分光反射率情報とを分離する（ステップＳ６：第１のクラスタリング（墨色と他の色を分離する）。
【００３６】
そして、コンピュータ１４では、墨初期分光反射率情報と基本マルチスペクトル情報に応じて、例えば、最小２乗計算を用いて墨に関する伝達関数Ｇ（Ｂｋ）を求めて（ステップＳ７）、この伝達関数Ｇ（Ｂｋ）をデータベース１３に格納する。
【００３７】
一方、コンピュータ１４では、他色初期分光反射率を、例えば、主成分分析によってＲ・Ｇ・Ｂ（赤・緑・青）の３次元の主成分空間に変換する（ステップＳ８：第２のクラスタリング）。他色初期分光反射率情報を主成分空間へ変換すると、例えば、図５に示すような関係が得られ、白を頂点として、各色が３次元的に放射状に延びる状態が得られる。その後、コンピュータ１４は主成分空間に極座標（θ，φ）を設定して（例えば、座標軸を標準白板と消灯時の黒を基準として設定する）、極座標変換を行って、各色毎にその領域を抽出する（ステップＳ９：第２のクラスタリング）。
【００３８】
上述のようにして、主成分空間に極座標（θ，φ）を設定して、極座標変換を行うと、例えば、図６に示すように各色毎にその領域が明瞭に区別されることになる。なお、図６に示す各色分布おいて、Ｃはシアン、Ｍはマゼンタ、Ｙはイエローを表し、ＣＭはシアンとマゼンタの混合色、ＭＹはマゼンタとイエローの混合色、ＣＹはシアンとイエローの混合色を表す。そして、コンピュータ１４では各色分布に応じて各色毎の領域を特定することになる。
【００３９】
このようにして、主成分空間において各色毎の領域を特定した後、コンピュータ１４では各色初期分光反射率情報と基本マルチスペクトル情報に応じて、例えば、最小２乗計算を用いて各色毎の伝達関数（Ｃｏｌｏｒ）を求めて（ステップＳ１０）、データベース１３に格納する。
【００４０】
上述のようにして、伝達関数Ｇ（Ｂｋ）及び伝達関数Ｇ（Ｃｏｌｏｒ）を得た後、実際に印刷された印刷物（商業印刷物）の分光反射率を実マルチスペクトル情報Ｓ（ｘ，ｙ，λｎ）から推定することになる。
【００４１】
図７を参照して、まず、分光反射率を求めるべき印刷物（例えば、商業印刷物）が用意される（ステップＰ１：計測印刷物用意）。商業印刷物について、マルチスペクトル計測装置１２を用いてマルチバンド計測を行って、実マルチスペクトル情報Ｓ（ｘ，ｙ，λｎ）を得る（ステップＰ２）。
【００４２】
そして、この実マルチスペクトル情報Ｓ（ｘ，ｙ，λｎ）はコンピュータ１４に与えられ、コンピュータ１４ではデータベース１３から前述の初期伝達関数Ｇ（Ａｌｌ）を読み出して、実マルチスペクトル情報Ｓ（ｘ，ｙ，λｎ）と初期伝達関数Ｇ（Ａｌｌ）とに応じて、図１にＲで示す式を用いて商業印刷物に係る初期推定分光反射率を計算する（ステップＰ３：以下この初期推定分光反射率を実初期推定分光反射率と呼ぶ）。
【００４３】
次に、コンピュータ１４では、前述した図４に示す関係に基づいて（つまり、墨のみが近赤外領域において分光反射率が高いという関係に基づいて）、実初期推定分光反射率情報が墨のみであるか否かを判定する。そして、墨のみであると判定すると、コンピュータ１４ではデータベース１３から伝達関数Ｇ（Ｂｋ）を読みだして、図１にＲで示す式を用いて伝達関数Ｇ（Ｂｋ）に応じて実マルチスペクトル情報Ｓ（ｘ，ｙ，λｎ）から、分光反射率（実分光反射率）を求める（ステップＰ５）。
【００４４】
一方、コンピュータ１４では、ステップＰ４において、墨のみではないと判定すると、主成分分析によって実初期推定分光反射率をＲ・Ｇ・Ｂの３次元の主成分空間に変換する（ステップＰ６）。そして、コンピュータ１４では予め定められた座標軸を基準として、主成分空間に極座標（θ，φ）を設定して、極座標変換を行って、各色毎の対応領域を決定する（ステップＰ７）。その後、コンピュータ１４では、対応色領域が決定されると、対応色領域に係る伝達関数Ｇ（Ｃｏｌｏｒ）をデータベース１３から読みだして、図１にＲで示す式を用いて伝達関数Ｇ（Ｃｏｌｏｒ）に応じて実マルチスペクトル情報Ｓ（ｘ，ｙ，λｎ）から分光反射率（実分光反射率）を求める（ステップＰ８）。
【００４５】
このようにして、実マルチスペクトル情報から分光反射率を推定すると、初期推定伝達関数Ｇ（Ａｌｌ）を用いて、実マルチスペクトル情報から分光反射率を推定した際には、図８（ａ）に示すように、特定のθで誤差色差（ΔＥ＊）が高くなるのに対して、伝達関数Ｇ（Ｂｋ）及びＧ（Ｃｏｌｏｒ）を用いて、実マルチスペクトル情報から分光反射率を推定すると、図８（ｂ）や図９に示すように誤差色差（ΔＥ＊）が低くなることが分かる。
【００４６】
なお、上述の説明から明らかなように、本発明における印刷物の色調計測手法は、コンピュータ１４上で動作するプログラムとしても構築できる。つまり、前述の各処理をプログラム（ソフトウェア）によっても処理することができるものである。
【００４７】
【発明の効果】
以上説明したように本発明では、予め規定された基準印刷物の印刷色から墨色を分離して、墨色を除く各色について各色が占める領域を特定した後、墨色に関するマルチスペクトル情報と分光反射率との関係を規定する墨伝達関数を求め、さらに、各色が占める領域に応じて各色毎にマルチスペクトル情報と前記分光反射率との関係を規定する各色伝達関数を求めて、墨伝達関数及び各色伝達関数に基づいて商業印刷物をマルチスペクトル計測して得られたマルチスペクトル情報から分光反射率を推定するようにしたから、マルチスペクトル計測の際のチャネル数を少なくして、しかも精度よく商業印刷物の分光反射率を推定して色調を計測できるという効果がある。
【００４８】
本発明では、近赤外線を用いて印刷色から墨色を分離するようにしたから、簡単に印刷色から墨色を分離できるという効果がある。
【００４９】
本発明では、墨色を除く各色をＲＧＢ３次元の主成分空間に変換した後、予め規定された座標軸で極座標変換して得られた結果に基づいて各色が占める領域をクラスタリングするようにしたから、各色が占める領域を容易に特定できるという効果がある。
【００５０】
本発明では、商業印刷物をマルチスペクトル計測して得られたマルチスペクトル情報に応じて、商業印刷物の印刷色が墨色であるか否かを判定して墨色であると、墨伝達関数を用いて、商業印刷物をマルチスペクトル計測して得られたマルチスペクトル情報から分光反射率を推定し、商業印刷物の印刷色が墨色でないと、墨色を除く各色をＲＧＢ３次元の主成分空間に変換した後、予め規定された座標軸で極座標変換して得られた結果に基づいて各色が占める領域をクラスタリングして得られた結果に応じた各色伝達関数を用いて、商業印刷物をマルチスペクトル計測して得られたマルチスペクトル情報から分光反射率を推定するようにしたから、精度よく商業印刷物の分光反射率を推定して色調を計測することができるという効果がある。
【図面の簡単な説明】
【図１】本発明による印刷物色調計測方法の一例が用いられる計測装置の概略図である。
【図２】本発明による印刷物色調計測方法において墨伝達関数及び各色伝達関数の算出を説明するためのフローチャートである。
【図３】墨の実際の分光反射率と推定分光反射率とを示すグラフ図である。
【図４】墨の近赤外領域における分光反射率を説明するためのグラフ図である。
【図５】墨を除く各色をＲＧＢの３次元の主成分空間に変換した状態の一例を示すグラフ図である。
【図６】図５に示す主成分空間を極座標変換した結果を示すグラフ図である。
【図７】本発明による印刷物色調計測方法において商業印刷物の分光反射率を求める一例を示すフローチャートである。
【図８】初期伝達関数を用いて分光反射率を推定した場合と墨伝達関数及び各色伝達関数を用いて分光反射率を推定した場合とを比較して示すグラフ図である。
【図９】初期伝達関数を用いて分光反射率を推定した場合と各色伝達関数を用いて分光反射率を推定した場合の比較を示すグラフ図である。
【符号の説明】
１１  分光計測装置
１２  マルチスペクトル撮影装置（マルチスペクトル計測装置）
１３  データベース
１４  コンピュータ
【図１】
2004198146.tif 000003
【図２】
2004198146.tif 000004
【図３】
2004198146.tif 000005
【図４】
2004198146.tif 000006
【図５】
2004198146.tif 000007
【図６】
2004198146.tif 000008
【図７】
2004198146.tif 000009
【図８】
2004198146.tif 000010
【図９】
2004198146.tif 000011